(57)【要約】【課題】プルダウン記録とネイティブ記録との何れをも行なうことができる映像記録装置を提供する。【解決手段】映像信号の生成元のフレームである有効フレームを重複することなく記録メディア１０９に記録するネイティブ記録モードと、有効フレームを重複して記録メディア１０９に記録するプルダウン記録モードとの何れかを受け付ける映像フォーマット設定部１０４と、（Ａ）ネイティブ記録モードが受け付けられた場合、有効フレームを重複することなく記録メディア１０９に記録し、（Ｂ）プルダウン記録モードが受け付けれた場合、有効フレームを重複して記録メディア１０９に記録する記録再生部１０３とを備える。【選択図】図１
2007158431.tif 000002
【特許請求の範囲】
【請求項１】
映像信号の生成元のフレームである有効フレームを重複することなく記録媒体に記録するネイティブ記録モードと、前記有効フレームを重複して前記記録媒体に記録するプルダウン記録モードとの何れかを受け付ける受付手段と、
（Ａ）前記受付手段が前記ネイティブ記録モードを受け付けた場合、前記有効フレームを重複することなく前記記録媒体に記録し、（Ｂ）前記受付手段が前記プルダウン記録モードを受け付けた場合、前記有効フレームを重複して前記記録媒体に記録する記録手段と
を備える映像記録装置。
【請求項２】
前記ネイティブ記録モードは前記映像信号がプログレッシブ信号である場合に対応するモードであり、前記プルダウン記録モードは前記映像信号がインタレース信号である場合に対応するモードである
請求項１に記載の映像記録装置。
【請求項３】
前記記録手段は、１回の記録動作により前記記録媒体に記録される映像信号を含むクリップそれぞれについて、前記クリップを前記ネイティブ記録モードと前記プルダウン記録モードとの何れで記録したのかを示す記録モード情報を前記記録媒体に記録する
請求項２に記載の映像記録装置。
【請求項４】
請求項３に記載の映像記録装置と、
（Ｃ）前記記録媒体に記録されている記録モード情報が、前記クリップが前記ネイティブ記録モードで記録されたことを示している場合、前記クリップを再生するとき、前記記録媒体に記録されている前記有効フレームを複数連続させて再生し、（Ｄ）前記記録媒体に記録されている記録モード情報が、前記クリップが前記ネイティブ記録モードで記録されたことを示している場合、前記クリップを再生するとき、前記記録媒体に記録されている前記有効フレームを複数連続させることなくそのまま再生する再生手段と
を備える映像記録再生装置。
【請求項５】
映像信号の生成元のフレームである有効フレームを重複することなく記録媒体に記録するネイティブ記録モードと、前記有効フレームを重複して前記記録媒体に記録するプルダウン記録モードとの何れかを受け付ける受付ステップと、
（Ａ）前記受付ステップにおいて前記ネイティブ記録モードを受け付けた場合、前記有効フレームを重複することなく前記記録媒体に記録し、（Ｂ）前記受付ステップにおいて前記プルダウン記録モードを受け付けた場合、前記有効フレームを重複して前記記録媒体に記録する記録ステップと
を含む映像記録方法。
【請求項６】
映像信号を記録媒体に記録する際のフレームレートである記録フレームレートと異なる再生フレームレートで前記記録媒体に記録された前記映像信号を再生する装置であって、
再生時にフレームレートを変換することなく前記再生フレームレートで前記映像信号が再生されるように、前記記録フレームレートと前記再生フレームレートとの相違の程度に基づいて、前記記録フレームレートの映像信号を前記再生フレームレートの映像信号に変換する変換手段と、
前記変換手段によって得られた前記再生フレームレートの映像信号を前記記録媒体に記録する記録手段と
を備える映像記録再生装置。
【請求項７】
前記記録フレームレートは前記再生フレームレートより小さく、
前記変換手段は、前記記録フレームレートに対する前記再生フレームレートの比に基づいて、前記記録フレームレートの映像信号の生成元のフレームである有効フレームを複数連続させて、前記記録フレームレートの映像信号を前記再生フレームレートの映像信号に変換する
請求項６に記載の映像記録再生装置。
【請求項８】
更に、前記記録フレームレートの映像信号を前記記録媒体に記録するネイティブ記録モードと、前記再生フレームレートの映像信号を前記記録媒体に記録するプルダウン記録モードとの何れかを受け付ける受付手段を備え、
前記記録手段は、（Ａ）前記受付手段が前記ネイティブ記録モードを受け付けた場合、前記記録フレームレートの映像信号を前記記録媒体に記録し、（Ｂ）前記受付手段が前記プルダウン記録モードを受け付けた場合、前記再生フレームレートの映像信号を前記記録媒体に記録する
請求項６に記載の映像記録再生装置。
【請求項９】
前記ネイティブ記録モードは前記記録フレームレートの映像信号がプログレッシブ信号である場合に対応するモードであり、前記プルダウン記録モードは前記記録フレームレートの映像信号がインタレース信号である場合に対応するモードである
請求項６に記載の映像記録再生装置。
【請求項１０】
前記記録手段は、１回の記録動作により前記記録媒体に記録される映像信号を含むクリップそれぞれについて、前記クリップを前記ネイティブ記録モードと前記プルダウン記録モードとの何れで記録したのかを示す記録モード情報を前記記録媒体に記録する
請求項９に記載の映像記録再生装置。
【請求項１１】
更に、（Ｃ）前記記録媒体に記録されている記録モード情報が、前記クリップが前記ネイティブ記録モードで記録されたことを示している場合、前記クリップを再生するとき、前記記録媒体に記録されている前記有効フレームを複数連続させて再生し、（Ｄ）前記記録媒体に記録されている記録モード情報が、前記クリップが前記ネイティブ記録モードで記録されたことを示している場合、前記クリップを再生するとき、前記記録媒体に記録されている前記有効フレームを複数連続させることなくそのまま再生する再生手段
を備える請求項１０に記載の映像記録再生装置。
【請求項１２】
映像信号を記録媒体に記録する際のフレームレートである記録フレームレートと異なる再生フレームレートで前記記録媒体に記録された前記映像信号を再生する方法であって、
再生時にフレームレートを変換することなく前記再生フレームレートで前記映像信号が再生されるように、前記記録フレームレートと前記再生フレームレートとの相違の程度に基づいて、前記記録フレームレートの映像信号を前記再生フレームレートの映像信号に変換する変換ステップと、
前記変換ステップにおいて得られた前記再生フレームレートの映像信号を前記記録媒体に記録する記録ステップと
を含む映像記録再生方法。
【発明の詳細な説明】
【技術分野】
【０００１】
本発明は、映像信号を記録媒体に記録する映像記録装置と、映像信号を記録媒体に記録するとともに、記録された映像信号を再生する映像記録再生装置とに関する。
【背景技術】
【０００２】
フレーム周波数６０Ｈｚ又は３０Ｈｚに対応した映像記録装置は、映画等で採用されている２４Ｐ信号を記録する場合、映像を規則的な周期で連続させてフレーム周波数を６０Ｈｚ又は３０Ｈｚに変換して記録媒体に記録するプルダウン記録を行なっている。プルダウン記録は、２４Ｐ信号をＶＴＲテープ等へ記録する場合、広く用いられている。
【０００３】
また、メモリやＨＤＤ等の非同期記録媒体に対しては、プルダウン記録により記録された信号の中の２４Ｐの有効なフレームを連続させることなく記録するネイティブ記録が行なわれている。本明細書では、「有効なフレームを重複することなく記録する」ことを「有効なフレームのみを記録する」とも表現する。ネイティブ記録は、記録するデータ量を少なくする点で有効であり、また、ネイティブ記録により、記録時のフレームレートと再生時のフレームレートとが異なる場合の可変速撮影も可能となる。
【０００４】
また、メモリやＨＤＤ等の非同期記録媒体を利用して、記録フレームレートと再生フレームレートとを変えて映像信号を記録し再生することにより、可変速再生を実現する可変速記録が提案されている。
【特許文献１】特開２００５−３９７１３号公報
【発明の開示】
【発明が解決しようとする課題】
【０００５】
しかしながら、プルダウン記録を行なう場合、同じフレームを繰り返して記録するため、記録するデータ量が多くなるという欠点がある。つまり、プルダウン記録を行なう場合、限られた容量しか有さない記録媒体へのデータの記録可能時間が短くなるという欠点がある。
【０００６】
ところで、圧縮されたストリームを通信する規格としてＩＥＥＥ１３９４が規格化され、ＩＥＥＥ１３９４規格のＩ／ＦがＶＴＲとパーソナルコンピュータ等とを接続するＩ／Ｆとして広く用いられている。ＩＥＥＥ１３９４規格では、２４Ｐの映像信号を通信することができず、ＶＴＲからパーソナルコンピュータへは、基本的には３０Ｈｚ又は６０Ｈｚのプルダウン信号が伝送される。しかし、インタレース信号の場合、圧縮状態ではフィールドの組み換えを行なうことができない。そのため、インタレース信号の有効フレームのみを記録するネイティブ記録で記録された圧縮データをＩＥＥＥ１３９４規格のＩ／Ｆへ出力するとき、有効フレームを一旦デコードした後エンコードしてフィールドへの組み換えを行ない、再圧縮してプルダウンされた圧縮ストリームを出力する必要がある。その結果、余分な再圧縮と画質劣化とが引き起こされる。したがって、記録するデータ量を少なくするために、常にネイティブ記録のみを実行することにも問題がある。
【０００７】
ユーザは、プログレッシブ信号を記録しようとする場合、ネイティブ記録を行ない、他方、インタレース信号を記録しようとする場合、プルダウン記録を行ないたいと考える。しかしながら、従来の映像記録装置は、プルダウン記録とネイティブ記録との一方のモードによる記録しか行なうことができない。そのため、ユーザは、プルダウン記録を行なおうとする場合、プルダウン記録のみを行なうことができる映像記録装置を使用し、ネイティブ記録を行なおうとする場合、ネイティブ記録のみを行なうことができる映像記録装置を使用する。すなわち、ユーザは、記録モードに応じて２個の映像記録装置を使い分けなければならない。ユーザは、１個の映像記録装置を用いて、プルダウン記録とネイティブ記録との何れをも選択することができることを要望する。
【０００８】
本発明は、プルダウン記録とネイティブ記録との何れをも行なうことができる映像記録装置を提供することを目的とする。
【０００９】
また、従来の可変速再生を行なうことができる映像記録再生装置は、有効なフレームのみを記録する。そのため、従来の映像記録再生装置は、可変速再生する際、記録フレームレートと再生フレームレートとの相違の程度に基づいて、有効なフレームを重複して再生する必要があった。すなわち、従来の映像記録再生装置では、可変速再生する際の処理の負担が大きい。
【００１０】
本発明は、再生時の処理の負担を小さくして可変速再生することができる映像記録再生装置を提供することを目的とする。
【課題を解決するための手段】
【００１１】
上記課題を解決し上記目的を達成するために、本発明の映像記録装置は、映像信号の生成元のフレームである有効フレームを重複することなく記録媒体に記録するネイティブ記録モードと、前記有効フレームを重複して前記記録媒体に記録するプルダウン記録モードとの何れかを受け付ける受付手段と、（Ａ）前記受付手段が前記ネイティブ記録モードを受け付けた場合、前記有効フレームを重複することなく前記記録媒体に記録し、（Ｂ）前記受付手段が前記プルダウン記録モードを受け付けた場合、前記有効フレームを重複して前記記録媒体に記録する記録手段とを備える。
【００１２】
例えば、前記ネイティブ記録モードは前記映像信号がプログレッシブ信号である場合に対応するモードであり、前記プルダウン記録モードは前記映像信号がインタレース信号である場合に対応するモードである。
【００１３】
前記記録手段は、１回の記録動作により前記記録媒体に記録される映像信号を含むクリップそれぞれについて、前記クリップを前記ネイティブ記録モードと前記プルダウン記録モードとの何れで記録したのかを示す記録モード情報を前記記録媒体に記録してもよい。
【００１４】
本発明の映像記録再生装置は、本発明の映像記録装置と、（Ｃ）前記記録媒体に記録されている記録モード情報が、前記クリップが前記ネイティブ記録モードで記録されたことを示している場合、前記クリップを再生するとき、前記記録媒体に記録されている前記有効フレームを複数連続させて再生し、（Ｄ）前記記録媒体に記録されている記録モード情報が、前記クリップが前記ネイティブ記録モードで記録されたことを示している場合、前記クリップを再生するとき、前記記録媒体に記録されている前記有効フレームを複数連続させることなくそのまま再生する再生手段とを備える。
【００１５】
本発明の映像記録再生装置は、映像信号を記録媒体に記録する際のフレームレートである記録フレームレートと異なる再生フレームレートで前記記録媒体に記録された前記映像信号を再生する装置であって、再生時にフレームレートを変換することなく前記再生フレームレートで前記映像信号が再生されるように、前記記録フレームレートと前記再生フレームレートとの相違の程度に基づいて、前記記録フレームレートの映像信号を前記再生フレームレートの映像信号に変換する変換手段と、前記変換手段によって得られた前記再生フレームレートの映像信号を前記記録媒体に記録する記録手段とを備える。
【００１６】
例えば、前記記録フレームレートは前記再生フレームレートより小さい場合、前記変換手段は、前記記録フレームレートに対する前記再生フレームレートの比に基づいて、前記記録フレームレートの映像信号の生成元のフレームである有効フレームを複数連続させて、前記記録フレームレートの映像信号を前記再生フレームレートの映像信号に変換する。
【００１７】
本発明の映像記録再生装置は、更に、前記記録フレームレートの映像信号を前記記録媒体に記録するネイティブ記録モードと、前記再生フレームレートの映像信号を前記記録媒体に記録するプルダウン記録モードとの何れかを受け付ける受付手段を備え、前記記録手段は、（Ａ）前記受付手段が前記ネイティブ記録モードを受け付けた場合、前記記録フレームレートの映像信号を前記記録媒体に記録し、（Ｂ）前記受付手段が前記プルダウン記録モードを受け付けた場合、前記再生フレームレートの映像信号を前記記録媒体に記録してもよい。
【００１８】
例えば、前記ネイティブ記録モードは前記記録フレームレートの映像信号がプログレッシブ信号である場合に対応するモードであり、前記プルダウン記録モードは前記記録フレームレートの映像信号がインタレース信号である場合に対応するモードである。
【００１９】
前記記録手段は、１回の記録動作により前記記録媒体に記録される映像信号を含むクリップそれぞれについて、前記クリップを前記ネイティブ記録モードと前記プルダウン記録モードとの何れで記録したのかを示す記録モード情報を前記記録媒体に記録してもよい。
【００２０】
本発明の映像記録再生装置は、更に、（Ｃ）前記記録媒体に記録されている記録モード情報が、前記クリップが前記ネイティブ記録モードで記録されたことを示している場合、前記クリップを再生するとき、前記記録媒体に記録されている前記有効フレームを複数連続させて再生し、（Ｄ）前記記録媒体に記録されている記録モード情報が、前記クリップが前記ネイティブ記録モードで記録されたことを示している場合、前記クリップを再生するとき、前記記録媒体に記録されている前記有効フレームを複数連続させることなくそのまま再生する再生手段を備えてもよい。
【００２１】
本発明は、本発明の映像記録装置の特徴的な構成手段をステップとする方法として実現したり、それらのステップをコンピュータに実行させるプログラムとして実現したり、上記特徴的な構成手段を含む集積回路として実現することもできる。また、本発明は、本発明の映像記録再生装置の特徴的な構成手段をステップとする方法として実現したり、それらのステップをコンピュータに実行させるプログラムとして実現したり、上記特徴的な構成手段を含む集積回路として実現することもできる。上記のプログラムは、ＣＤ−ＲＯＭ等の記録媒体や通信ネットワーク等の伝送媒体を介して流通させることもできる。
【発明の効果】
【００２２】
本発明は、プルダウン記録とネイティブ記録との何れをも行なうことができる映像記録装置を提供することができる。
【００２３】
本発明により、ユーザは、１個の映像記録装置で、プルダウン記録を行なうことも、ネイティブ記録を行なうこともできる。例えば、ユーザは、１個の映像記録装置で、インタレース信号を記録しようとする場合、プルダウン記録を行なうことができ、プログレッシブ信号を記録しようとする場合、ネイティブ記録を行なうことができる。
【００２４】
また、本発明は、再生時の処理の負担を小さくして可変速再生することができる映像記録再生装置を提供することができる。
【発明を実施するための最良の形態】
【００２５】
以下に、本発明を実施するための最良の形態を、図面を参照して説明する。
【００２６】
（実施の形態１）
図１は、本実施の形態のカメラレコーダの構成を示すブロック図である。本実施の形態のカメラレコーダは、被写体を撮影するとともに撮影時の音を取得し、得られた映像及び音の信号を記録メディア１０９に記録する装置であって、図１に示すように、カメラ部１０１と、映像圧縮部１０２と、記録再生部１０３と、映像フォーマット設定部１０４と、映像出力端子１０５と、音処理部１０６と、音入力端子１０７と、音出力端子１０８とを備える。実施の形態１のカメラレコーダは、本発明の映像記録装置及び本発明の映像記録再生装置の一例である。記録再生部１０３は、本発明の映像記録装置の記録手段の一例である。映像フォーマット設定部１０４は、本発明の映像記録装置の受付手段の一例である。映像圧縮部１０２及び記録再生部１０３は、本発明の映像記録再生装置の再生手段の一例である。
【００２７】
図２はカメラ部１０１の構成を示すブロック図である。図２に示すように、カメラ部１０１は、レンズ部２０１と、撮像部２０２と、信号処理部２０３と、フレームレート変換部２０４とを有する。
【００２８】
図３は映像圧縮部１０２の構成を示すブロック図である。図３に示すように、映像圧縮部１０２は、有効フレーム抽出部３０１と、圧縮部３０２と、映像伸張部３０３と、フレームレート変換部３０４とを有する。
【００２９】
図４は記録再生部１０３の構成を示すブロック図である。図４に示すように、記録再生部１０３は、システム制御部４０１と、設定情報等をやりとりするための通信端子４２０と、通信部４２１と、圧縮された映像を入出力するための映像端子４２２と、映像Ｉ／Ｆ４２３と、音を入出力するための音端子４２４と、音Ｉ／Ｆ４２５と、Ｉ／Ｏバス４３０と、記録メディア１０９（メモリ）とのインターフェース（Ｉ／Ｆ）であるＰＣＭＣＩＡ  Ｉ／Ｆ４４０とを有する。システム制御部４０１は、例えば、ＣＰＵとメモリとを含むコンピュータによって実現される。システム制御部４０１は、映像ファイル処理部４０２と、音ファイル処理部４０３と、Ｉｎｄｅｘファイル処理部４０４と、記録メモリ処理部４０５と、ファイルシステム４０６と、ファイルシステム用メモリ４０７と、記録バッファメモリ４０８と、再生バッファメモリ４０９とを有する。システム制御部４０１に含まれる各構成要素の機能は、ＣＰＵが各種のプログラムを実行することによって実現される。システム制御部４０１に含まれる各メモリは、例えば、それぞれの用途毎に別個に設けられていてもよいし、単一のメモリの用途毎に区別された領域であってもよい。
【００３０】
まず、図１に示される実施の形態１のカメラレコーダの全体の動作について説明する。
映像フォーマット設定部１０４は、ユーザから受け付けた、以下に示す（１）から（４）の４種類の画像フォーマットの何れか一つを、カメラ部１０１と、映像圧縮部１０２と、記録再生部１０３とに設定する。
【００３１】
（１）７２０／６０Ｐ
７２０／６０Ｐは、ＳＭＰＴＥ２９６Ｍで規格化されている１２８０×７２０／６０方式である。
【００３２】
（２）７２０／２４Ｐ
７２０／２４Ｐは、カメラレコーダから７２０／６０Ｐと同等の映像信号が出力されるように、２４Ｐの有効フレームを重畳する（プルダウンする）方式である。プルダウンについては後で詳しく説明する。
【００３３】
（３）１０８０／６０ｉ
１０８０／６０ｉは、ＳＭＰＴＥ２７４Ｍで規格化されている１９２０×１０８０／６０方式である。
【００３４】
（４）１０８０／２４Ｐ
１０８０／２４Ｐは、カメラレコーダから１０８０／６０ｉと同等の映像信号が出力されるように、２４Ｐの有効フレームを重畳する（プルダウンする）方式である。プルダウンについては後で詳しく説明する。
【００３５】
次に、図２に示されるカメラ部１０１の動作について説明する。
レンズ部２０１は図示しない撮影対象からの光を撮像部２０２に集める。撮像部２０２は、ＣＣＤ等から構成されており、レンズ部２０１によって集められた撮影対象からの光を電気信号に変換する。その際、撮像部２０２は、映像フォーマット設定部１０４により設定された画像フォーマット（以下、「第１フレームレート」という）に従って光を電気信号に変換する。信号処理部２０３は、デジタルシグナルプロセッサ等から構成されており、撮像部２０２から出力される信号をデジタル信号に変換するとともに、表示用の各種信号処理を施した後、映像フォーマット設定部１０４により設定された画像フォーマット（第１フレームレート）に従って、第１映像信号を出力する。フレームレート変換部２０４は、メモリを有しており、信号処理部２０３から出力される第１映像信号を第１フレームレートでメモリに書き込み、カメラレコーダの出力規格フォーマットで規定される規格フレームレートで読み出して、第１映像信号を規格映像信号に変換する。
【００３６】
第１フレームレートをＸｐ（ｆｐｓ＝フレーム／秒）と定義し、規格映像信号のフレームレートをＳｐ（ｆｐｓ）と定義するとき、Ｘｐ≦Ｓｐが成立する。ＸｐとＳｐとが等しくないとき、フレームレート変換部２０４は、表示される映像の実時間が互いにほぼ一致するように、第１映像信号のビデオフレームを重複して配置することによって、第１フレームレートＸｐの第１映像信号をフレームレートＳｐの規格映像信号に変換するプルダウン処理を行なう。例えば、第１フレームレートＸｐが２４であって、規格映像信号がフレームレートＳｐ＝６０のプログレッシブ信号である場合、フレームレート変換部２０４は、Ｘｐ＝２４である第１映像信号の各ビデオフレームを、２回、３回、２回、３回、２回、３回・・・の周期で重複配置する。このプルダウン処理の方式は２−３プルダウン方式と呼ばれる。このように、フレームレート変換部２０４は、第１映像信号をプルダウンして規格映像信号のフレームレートに変換した後、有効なビデオフレームを示す識別信号（有効フレームフラグ）を、映像信号の垂直ブランキング区間の所定のサンプル位置に多重して出力する。例えば、規格映像信号がＳＭＰＴＥ２９６Ｍで規格化されている１２８０×７２０／６０方式の信号である場合、フレームレート変換部２０４は、有効フレームの１フレーム前における第７４６ライン及び第７４７ラインのＥＡＶ（ｅｎｄ  ｏｆ  ａｃｔｉｖｅ  ｖｉｄｅｏ）信号から５Ｔ後のサンプル位置に、１０ｂｉｔのデジタル信号で“２ＡＡ”という値を付加し、無効フレームの１フレーム前には“２ＡＡ”以外の値を付加する。第７４６ライン及び第７４７ラインの所定のサンプル位置が毎フレーム判定されることにより、有効フレームが抽出される。付加される値が両ラインとも“２ＡＡ”であれば、そのフレームの次のフレームが有効フレームとして抽出され、それ以外あれば、そのフレームの次のフレームは無効フレームであると判定される。
【００３７】
次に、図３に示される映像圧縮部１０２の動作について説明する。有効フレーム抽出部３０１及び圧縮部３０２は記録処理を行ない、映像伸張部３０３及びフレームレート変換部３０４は再生処理を行なう。
【００３８】
記録時には、有効フレーム抽出部３０１は、映像フォーマットが７２０／２４Ｐである場合のみ、入力される規格映像信号から有効フレームフラグを検出し、有効フレームのみを間欠的に出力する（ネイティブ圧縮）。それ以外の映像フォーマットでは、有効フレーム抽出部３０１は全てのフレームを有効として出力する。以下では、有効フレーム抽出部３０１からの出力を第２映像信号と定義する。圧縮部３０２は、第２映像信号を映像フレーム単位で圧縮し、ＳＭＰＴＥ３７０Ｍ規格に準拠したＤＶＣＰＲＯ−ＨＤ圧縮データを出力する。
【００３９】
再生時には、映像圧縮部１０２内の映像伸張部３０３は、記録再生部１０３から入力された圧縮データをビデオフレーム単位でデコードする。フレームレート変換部３０４は、映像フォーマットが７２０／２４Ｐである場合のみ、カメラ部１０１におけるフレームレート変換部２０４と同様に、フレームレート２４Ｐの映像信号をフレームレート６０Ｐに変換する２−３プルダウン動作を行なって出力する。それ以外の映像フォーマットでは、フレームレート変換部３０４は全てのフレームをそのまま出力する。
【００４０】
記録再生部１０３が行なう記録動作を以下に示す。
映像ファイル処理部４０２は、ＳＭＰＴＥ−３７０Ｍの圧縮データを、１フレームを単位としてＳＭＰＴＥ３７７Ｍに準拠したＭＸＦファイルに変換する。
【００４１】
図５（Ａ）は映像ＭＸＦファイルの構造を示す。圧縮映像データ（ＤＩＦ）はファイルヘッダの後のＫＬＶ構造のＢｏｄｙに格納される。ＤＶＣＰＲＯ−ＨＤでは１フレームのＤＩＦ符号長は４８００００Ｂｙｔｅであるので、Ｎフレーム記録時のＢｏｄｙは上記１フレームあたりの符号量のＮ倍となる。
【００４２】
また、ＤＩＦ構造データの中には８チャンネルの音のデータを格納することができるが、本実施の形態では、音のデータはＤＩＦデータ内には格納されず、別ファイルとして記録される。これは、放送局等の業務用途における編集作業では、映像と音とが別々に編集されることが多く、業務用途のノンリニア編集機が映像と音とを別のファイルとして処理することが一般的であるためである。
【００４３】
音ファイル処理部４０３は、音端子４２４から入力された音データを、ＸＭＰＴＥ３７７Ｍに準拠したＭＸＦファイルに変換する。図５（Ｂ）に音ＭＸＦファイルの構造を示す。１サンプルあたり１６ｂｉｔの音データがファイルヘッダの後のＫＬＶ構造のＢｏｄｙ内に格納される。従って、Ｍサンプル記録時のＢｏｄｙの符号量はＭ×２Ｂｙｔｅとなる。
【００４４】
音ファイルはチャンネル毎に記録される。従って、記録する音のチャンネル数が２である場合、ＭＸＦファイルはチャンネル毎に独立して２個記録される。
【００４５】
記録メディア１０９は、例えばＰＣＭＣＩＡの形状のメディアであって、カメラレコーダに対して着脱可能であり、ＰＣＭＣＩＡ  Ｉ／Ｆ４４０と例えばカードバスにより接続される。記録メディア１０９は、ＦＡＴ１６等のファイルシステムでフォーマットされており、記録メディア１０９へのファイルの書き込みは、システム制御部４０１内のファイルシステム４０６により行なわれるＦＡＴの管理情報の更新と、記録メディア１０９へのデータの書き込み動作とが行なわれることにより実現される。
【００４６】
記録メモリ処理部４０５は、記録メディア１０９の空き容量をファイルシステム４０６が確認することにより認識している。
【００４７】
映像及び音の記録動作は、通信端子４２０から入力された指示に従って行なわれる。記録開始が指示された場合、記録メモリ処理部４０５は、映像を記録するための１個のＭＸＦ映像ファイルと、音を記録するための２個のＭＸＦ音ファイルとをＯｐｅｎし、データを記録する。この際、記録メモリ処理部４０５は、映像の記録開始時刻と音の記録開始時刻とを同期させる。
【００４８】
また、記録メモリ処理部４０５は、記録動作の停止が指示された場合、記録メディア１０９へのデータ書き込みを終了し、上記各ファイルをＣｌｏｓｅする。従って、この１連続の記録動作（１クリップの作成動作）の実行により、映像ＭＸＦファイル１個と音ＭＸＦファイル２個とが新規に作成される。
【００４９】
また、クリップの記録が終了する際、Ｉｎｄｅｘファイル処理部４０４は、クリップの管理情報が記述されているＩｎｄｅｘファイルを更新する。図６に、Ｉｎｄｅｘファイル内の映像ファイル、音ファイル、及びクリップの関係を示す。
【００５０】
Ｉｎｄｅｘファイルは、１個の記録メディア１０９に付き１ファイル記録され、記録メディア１０９内に含まれるクリップの情報や、クリップと映像ファイル及び音ファイルとのリンク関係等を表す。
【００５１】
図７にＩｎｄｅｘファイルの記述内容の一例を示し、図８にＩｎｄｅｘファイルの各要素を示す。
【００５２】
Ｉｎｄｅｘファイルには、記録メディア１０９固有の情報を表すＭｅｄｉａ  Ｉｎｄｅｘと、クリップ毎の固有の情報を表すＣｌｉｐ  Ｉｎｄｅｘとの２階層のデータが含まれる。Ｍｅｄｉａ  Ｉｎｄｅｘ及びＣｌｉｐ  Ｉｎｄｅｘそれぞれには、図７に示される要素が記述されている。Ｉｎｄｅｘファイルはテキスト形式のファイルとして記録され、各要素はカンマで区切られている。なお、Ｉｎｄｅｘファイルはテキスト形式で記述されると限定されない。
【００５３】
Ｍｅｄｉａ  Ｉｎｄｅｘ中のＭｅｄｉａ  ＩＤはメディア（媒体）毎にユニークとなるように付与されるＩＤであり、例えばメディアをフォーマットする際に、フォーマット時の時刻と機器のＩＤ等との組み合わせにより固有のＩＤが付与される。
【００５４】
Ｍｅｄｉａ  Ｔｉｔｌｅは、ユーザが任意に付加することができるメディア固有のタイトルであり、ユーザは認識し易い名前を自由に付加することができる。機器内でのメディアの特定はＭｅｄｉａ  ＩＤにより行なわれるため、Ｍｅｄｉａ  Ｔｉｔｌｅは映像ファイルや音ファイルが記録された状態でも自由に変更することが可能である。
【００５５】
Ｃｌｉｐ  Ｉｎｄｅｘ中のＣｌｉｐ  ＩＤはクリップ毎にユニークとなるように付与されるＩＤであり、例えばクリップを記録する際に、記録開始時の時刻と機器のＩＤ等との組み合わせにより固有のＩＤが付与される。映像ファイル及び音ファイルとクリップとは、共通のＣｌｉｐ  ＩＤをファイル名に記述することで関連付けられる。例えば、Ｃｌｉｐ  ＩＤが“Ｃ００１”である映像ファイルのファイル名を“Ｃ００１．ＭＸＦ”とし、２ＣＨ分の音ファイルを“Ｃ００１＿１．ＭＸＦ”と、“Ｃ００１＿２．ＭＸＦ”とすることで、クリップと映像ファイル及び音ファイルとは関連付けられる。
【００５６】
Ｃｌｉｐ  Ｔｉｔｌｅはユーザが任意に付加することができるクリップ固有のタイトルであり、ユーザは認識し易い名前を自由に付加することができる。機器内でのクリップの特定はＣｌｉｐ  ＩＤにより行なわれるため、Ｃｌｉｐ  Ｔｉｔｌｅは映像ファイルや音ファイルが記録された状態でも自由に変更することが可能である。
【００５７】
Ｖｉｄｅｏ  Ｆｏｒｍａｔは映像信号のフォーマットを表し、Ｆｒａｍｅ  Ｒａｔｅは映像信号のフレームレートを表す。Ｐｕｌｌ  Ｄｏｗｎは記録された映像信号のプルダウンの形態を表し、「０」はプルダウンされていないことを示し、「２−３」は２−３プルダウンを示す。Ｄｕｒａｔｉｏｎはクリップに含まれるフレーム数を表す。Ｆｒａｍｅ  ＲａｔｅとＤｕｒａｔｉｏｎとにより、クリップ全体の記録時間を計算することが可能である。
【００５８】
図７において、クリップＩＤが“Ｃ００１”であるクリップは、信号が７２０／６０Ｐで記録されており、記録時間は１２００／６０＝２０ｓｅｃである。クリップＩＤが“Ｃ００２”であるクリップは、信号が７２０／２４Ｐで記録されており、記録時間は２４００／２４＝１００ｓｅｃである。クリップＩＤが“Ｃ００３”であるクリップは、信号が１０８０／６０ｉで記録されており、記録時間は２１００／３０＝７０ｓｅｃである。クリップＩＤが“Ｃ００４”であるクリップは、１０８０／２４Ｐの信号が２：３プルダウンされた状態で１０８０／６０ｉの信号となるように圧縮されて記録されており、記録時間は６００／３０＝５ｓｅｃである。
【００５９】
再生時には、通信端子４２０により入力された情報において指定されたＣｌｉｐの情報がＩｎｄｅｘファイルから読み取られ、記録メディア１０９から映像ＭＸＦファイルと音ＭＸＦファイルとが読み出される。その際、映像フォーマット、フレームレート及びプルダウンの情報が、合わせて通信端子４２０から出力し、映像圧縮部１０２に伝えられる。
【００６０】
映像圧縮部１０２内の映像伸張部３０３は、ビデオフレーム単位で圧縮データをデコードする。映像伸張部３０３は、映像フォーマット設定部１０４によって設定された再生フレームレートＹｐ（ｆｐｓ）に従ってデコードする。フレームレート変換部３０４は、カメラ部１０１におけるフレームレート変換部２０４と同様に、フレームレートＹｐの映像信号を規格映像信号のフレームレートＳｐに変換して出力する。
【００６１】
以下、実施の形態１のカメラレコーダの記録及び再生の動作を、図９から図１２のタイミングチャートを参照して説明する。図９から図１２において、（Ａ）は信号処理部２０３から出力される第１映像信号を示し、（Ｂ）はフレームレート変換部２０４から出力される規格映像信号を示し、（Ｃ）は有効フレーム抽出部３０１から出力される第２映像信号を示し、（Ｄ）は再生時に出力される規格映像信号を示す。（Ｃ）に示される第２映像信号はファイル化されて記録される。図１０（Ｂ）及び（Ｄ）並びに図１２（Ｂ）では、重複配置された無効なビデオフレーム（無効フレーム及び無効フィールド）は網掛けされて示されている。
【００６２】
図９は７２０／６０Ｐの記録再生時における各信号を示し、図１０は７２０／２４Ｐの記録再生時における各信号を示し、図１１は１０８０／６０ｉの記録再生時における各信号を示し、図１２は１０８０／２４Ｐの記録再生時における各信号を示す。
【００６３】
図９の場合、各信号はフレーム周期１／６０秒で処理されており、全てのフレームが処理されて記録メディア１０９に記録される。
【００６４】
図１０の場合、撮像部２０２及び信号処理部２０３はフレーム周期１／２４秒で駆動されており、信号処理部２０３はフレームを２４Ｈｚで出力する。フレームレート変換部２０４は、カメラレコーダの外部への映像信号の出力等を考慮して、常に６０Ｈｚでフレームを出力する。すなわち、図１０（Ｂ）に示すように、フレームレート変換部２０４は、２４Ｈｚの有効フレームを２−３プルダウン方式で多重して６０Ｈｚの映像信号を生成する。ここで、無効フレームはその直前の有効フレームである。有効フレーム抽出部３０１は、図１０（Ｃ）に示すように、２４Ｈｚの有効フレームのみを抜き出す。図１０の場合、記録再生部１０３は、圧縮された有効フレームのみを記録メディア１０９に記録する。
【００６５】
有効フレームのみを記録メディア１０９に記録するネイティブ記録を実行する場合の記録データ量は、２−３プルダウンを実行して有効フレーム及び無効フレームを記録メディア１０９に記録する場合の記録データ量の４０％である。つまり、ネイティブ記録を実行することにより、ファイルサイズが減少し、効率の良い長時間記録が可能となる。再生時は、図１０（Ｄ）に示すように、記録再生部１０３は有効フレームのみを映像圧縮部１０２に出力し、映像圧縮部１０２は２−３プルダウンを実行して６０Ｈｚでフレームを出力する。
【００６６】
図１１の場合、各信号はフレーム周期１／３０秒のインタレースで処理されており、全てのフレームが処理されて記録メディア１０９に記録される。
【００６７】
図１２の場合、撮像部２０２及び信号処理部２０３はフレーム周期１／２４秒で駆動されており、信号処理部２０３は２４Ｈｚでフレームを出力する。フレームレート変換部２０４は、カメラレコーダの外部へ映像信号を出力すること等を考慮して、常に３０Ｈｚのインタレースでフィールドを出力する。すなわち、フレームレート変換部２０４は、図１２（Ｂ）に示すように、３０Ｈｚのインタレース映像信号の上に２４Ｈｚの有効信号を多重する２−３プルダウンを行なう。映像圧縮部１０２は、図１２（Ｃ）に示すように、２−３プルダウンされたインタレース映像信号を圧縮し、記録再生部１０３は圧縮された２−３プルダウンされたインタレース映像信号を記録メディア１０９に記録する。再生時においては、図１２（Ｄ）に示すように、記録再生部１０３は、圧縮された２−３プルダウンされたインタレース映像信号を映像圧縮部１０２に出力し、映像圧縮部１０２は、記録再生部１０３からのインタレース映像信号を伸張して出力する。
【００６８】
以上説明したように、実施の形態１では、カメラレコーダは、７２０／２４Ｐの記録を実行する場合、有効フレームのみを記録する。これにより、６０Ｐの記録が実行される場合の４０％という少ない量でデータを記録することが可能である。また、カメラレコーダは、プログレッシブフォーマットの信号を、圧縮状態のまま２−３プルダウンのデータに変換することも容易に行なうことができ、６０Ｐでの接続しか行なえない１３９４Ｉ／Ｆにも対応することが可能である。また、カメラレコーダは、１０８０／２４Ｐの記録を実行する場合、２−３プルダウンの信号をそのまま記録することができる。すなわち、カメラレコーダはＶＴＲ等の従来の記録方式と親和性の高い記録を行なうことが可能である。これにより、カメラレコーダは、インタレース映像信号を２−３プルダウンの信号のまま記録することにより、６０ｉでの接続しか行なえない１３９４Ｉ／Ｆに対応することが可能になる。更に、カメラレコーダは、インタレース映像信号の有効なフレームのみ記録することができる。この場合、インタレース映像信号を２−３プルダウンして記録する場合に比較して、記録データ量は８０％に低減される。インタレース映像信号の有効フレームのみ記録するメリットは、プログレッシブ信号を記録する場合に比較して少ない。従って、２４Ｐ記録する場合、記録する画像フォーマットに応じた記録方式が選択される。
【００６９】
（実施の形態２）
実施の形態１では、７２０／２４Ｐの信号をネイティブ記録し、１０８０／２４Ｐの信号を２−３プルダウン記録する。実施の形態２では、（ｉ）ネイティブ記録モードの場合の７２０／２４Ｐ信号の記録及び再生と、（ii）ネイティブ記録モードの場合の１０８０／２４Ｐ信号の記録及び再生と、（iii）２−３プルダウン記録モードの場合の７２０／２４Ｐ信号の記録及び再生と、（iv）２−３プルダウン記録モードの場合の１０８０／２４Ｐ信号の記録及び再生とを説明する。
【００７０】
データの記録の開始に先立って、図１に示す映像フォーマット設定部１０４は、ユーザから受け付けた、ネイティブ記録モードと２−３プルダウン記録モードとの何れかを、カメラ部１０１、映像圧縮部１０２、及び記録再生部１０３に設定する。
【００７１】
ネイティブ記録モードの場合の７２０／２４Ｐ信号の記録時及び再生時の各タイミングを図１０に示し、ネイティブ記録モードの場合の１０８０／２４Ｐ信号の記録時及び再生時の各タイミングを図１３に示す。
【００７２】
図１３の場合、撮像部２０２及び信号処理部２０３はフレーム周期１／２４秒で駆動されており、信号処理部２０３はフレームを２４Ｈｚで出力する。フレームレート変換部２０４は、カメラレコーダの外部への映像信号の出力等を考慮して、常に３０Ｈｚでインタレース信号を出力する。すなわち、フレームレート変換部２０４は、図１３（Ｂ）に示すように、３０Ｈｚのインタレース映像信号の上に２４Ｈｚの有効信号を多重する２−３プルダウンを行なう。ここで、無効フィールドはその直前の有効フレームを構成する一方のフィールドである。有効フレーム抽出部３０１は、図１３（Ｃ）に示すように、２４Ｈｚの有効フレームのみを抜き出す。図１３の場合、記録再生部１０３は、圧縮された有効フレームのみを記録メディア１０９に記録する。有効フレームのみを記録する場合（ネイティブ記録する場合）、２−３プルダウンの信号を記録する場合に比較して、記録データ量は８０％に低減される。すなわち、ファイルサイズが減少し、効率の良い長時間記録が可能となる。再生時は、図１３（Ｄ）に示すように、記録再生部１０３は有効フレームのみを映像圧縮部１０２に出力し、映像圧縮部１０２は２−３プルダウンを実行して６０Ｈｚでフィールドを出力する。
【００７３】
次に、２−３プルダウン記録モードの場合の７２０／２４Ｐ信号の記録時及び再生時の各タイミングを図１４に示し、２−３プルダウン記録モードの場合の１０８０／２４Ｐ信号の記録時及び再生時の各タイミングを図１２に示す。
【００７４】
図１４の場合、撮像部２０２及び信号処理部２０３はフレーム周期１／２４秒で駆動されており、信号処理部２０３はフレームを２４Ｈｚで出力する。フレームレート変換部２０４は、カメラレコーダの外部への映像信号の出力等を考慮して、常に６０Ｈｚでフレームを出力する。すなわち、フレームレート変換部２０４は、図１４（Ｂ）に示すように、６０Ｈｚの映像信号の上に２４Ｈｚの有効信号を多重する２−３プルダウンを行なう。図１４（Ｃ）に示すように、記録再生部１０３は２−３プルダウン信号を圧縮し、記録再生部１０３は圧縮された２−３プルダウン信号を記録メディア１０９に記録する。再生時には、図１４（Ｄ）に示すように、記録再生部１０３は、圧縮された２−３プルダウン信号を映像圧縮部１０２に出力し、映像圧縮部１０２は記録再生部１０３からの圧縮された２−３プルダウン信号を伸張して出力する。
【００７５】
以上説明したように、実施の形態２では、２４Ｐ記録の際、有効な映像信号のみを記録するネイティブ記録と、２−３プルダウン信号の状態のまま記録するプルダウン記録とを選択することができる。つまり、実施の形態２のカメラレコーダを用いると、ユーザは用途に応じた記録モードで映像信号を記録することが可能となる。例えば、記録時間を延ばしたい場合、ユーザはデータ量の少ないネイティブ記録を選択し、ＶＴＲ等の従来からの記録機器との互換性を重視したい場合、ユーザはプルダウン記録を選択することが可能となる。
【００７６】
上述した実施の形態１及び２より明らかなように、カメラレコーダにおいて、映像フォーマット設定部１０４は、映像信号の生成元のフレームである有効フレームを重複することなく記録メディア１０９に記録するネイティブ記録モードと、有効フレームを重複して記録メディア１０９に記録するプルダウン記録モードとの何れかを受け付ける。記録再生部１０３は、（Ａ）映像フォーマット設定部１０４がネイティブ記録モードを受け付けた場合、有効フレームのみを記録メディア１０９に記録し（有効フレームを重複することなく記録メディア１０９に記録し）、（Ｂ）映像フォーマット設定部１０４がプルダウン記録モードを受け付けた場合、有効フレームを重複して記録メディア１０９に記録する。
【００７７】
例えば、ネイティブ記録モードは上記映像信号がプログレッシブ信号である場合に対応するモードであり、プルダウン記録モードは上記映像信号がインタレース信号である場合に対応するモードである。
【００７８】
ここで、記録再生部１０３は、図７に示すように、１回の記録動作により記録メディア１０９に記録される映像信号を含むクリップそれぞれについて、そのクリップをネイティブ記録モードとプルダウン記録モードとの何れで記録したのかを示す記録モード情報を記録メディア１０９に記録する。映像圧縮部１０２及び記録再生部１０３は、（Ｃ）記録メディア１０９に記録されている記録モード情報が、あるクリップがネイティブ記録モードで記録されたことを示している場合、そのクリップを再生するとき、記録メディア１０９に記録されている有効フレームを複数連続させて再生し、（Ｄ）記録メディア１０９に記録されている記録モード情報が、あるクリップがネイティブ記録モードで記録されたことを示している場合、そのクリップを再生するとき、記録メディア１０９に記録されている有効フレームを複数連続させることなくそのまま再生する。
【００７９】
（実施の形態３）
ユーザは、カメラレコーダを用いて映像の記録を開始するにあたって、予めプルダウン記録モードとネイティブ記録モードとの何れかを映像フォーマット設定部１０４に設定する。映像フォーマット設定部１０４は、ユーザによって設定された記録モードを、カメラ部１０１、映像圧縮部１０２、及び記録再生部１０３に設定する。
【００８０】
記録時には、ネイティブ記録モードの場合、有効フレーム抽出部３０１は、入力される規格映像信号から有効フレームフラグを検出して、有効フレームのみを間欠的に出力する。また、プルダウン記録モードでは、有効フレーム抽出部３０１は、プルダウンシーケンスに従って有効フレームと無効フレームとを間欠的に出力する。
【００８１】
記録時には、ネイティブ記録モードの場合、有効フレーム抽出部３０１から出力される映像信号は第２映像信号である。圧縮部３０２は、第２映像信号に対して映像フレーム単位で圧縮処理を行ない、ＳＭＰＴＥ３７０Ｍ規格に準拠したＤＶＣＰＲＯ−ＨＤ圧縮データを出力する。
【００８２】
再生時には、映像圧縮部１０２内の映像伸張部３０３は、記録再生部１０３から入力される信号に対して、ビデオフレーム単位でデコード（伸張処理）する。
【００８３】
記録再生部１０３が行なう記録動作を以下に示す。
映像ファイル処理部４０２は、圧縮されたＳＭＰＴＥ−３７０Ｍのデータを、２フレーム単位を基準としてＳＭＰＴＥ３７７Ｍに準拠したＭＸＦファイルに変換する。
【００８４】
図１５に実施の形態３におけるＩｎｄｅｘファイルの記述内容の一例を示し、図１６にＩｎｄｅｘファイルの各要素を示す。以下では、図７及び図８と重複する項目の説明は省略する場合がある。
【００８５】
Ｉｎｄｅｘファイルには、記録メディア１０９固有の情報を表すＭｅｄｉａ  Ｉｎｄｅｘと、クリップ毎の固有の情報を表すＣｌｉｐ  Ｉｎｄｅｘとの２階層のデータが含まれる。Ｍｅｄｉａ  Ｉｎｄｅｘ及びＣｌｉｐ  Ｉｎｄｅｘそれぞれには、図１６に示される要素が記述されている。
【００８６】
Ｖｉｄｅｏ  Ｆｏｒｍａｔは映像信号のフォーマットを表し、ＲＥＣ  Ｆｒａｍｅ  Ｒａｔｅは記録時の映像信号のフレームレートを表す。ＰＢ  Ｆｒａｍｅ  Ｒａｔｅは再生時の映像信号のフレームレートを表す。Ｄｕｒａｔｉｏｎはクリップに含まれるフレーム数を表す。ＰＢ  Ｆｒａｍｅ  ＲａｔｅとＤｕｒａｔｉｏｎとにより、クリップ全体の再生時間を計算することが可能である。
【００８７】
図１５において、クリップＩＤが“Ｃ００１”であるクリップは、信号を７２０／６０Ｐで再生し、再生時間は１２００／６０＝２０ｓｅｃである。クリップＩＤが“Ｃ００２”であるクリップは、信号を７２０／２４Ｐで再生し、再生時間は１２００／２４＝１００ｓｅｃである。クリップＩＤが“Ｃ００３”であるクリップは、信号を７２０／２４Ｐで再生し、再生時間は２４００／２４＝１００ｓｅｃである。クリップＩＤが“Ｃ００４”であるクリップは、信号を７２０／６０Ｐで再生し、再生時間は２４００／６０＝４０ｓｅｃである。
【００８８】
以下、実施の形態３のカメラレコーダの記録及び再生の動作を、図９、図１７、図１８、及び図１９のタイミングチャートを参照して説明する。図９、図１７、図１８、及び図１９において、（Ａ）は信号処理部２０３から出力される第１映像信号を示し、（Ｂ）はフレームレート変換部２０４から出力される規格映像信号を示し、（Ｃ）は有効フレーム抽出部３０１から出力される第２映像信号を示し、（Ｄ）は再生時に出力される規格映像信号を示す。（Ｃ）に示される第２映像信号はファイル化されて記録される。図１７（Ｄ）、図１８（Ｂ）及び（Ｄ）、並びに図１９（Ｂ）から（Ｃ）では、重複配置された無効なビデオフレームは網掛けされて示されている。
【００８９】
図９は図１５におけるクリップＩＤ“Ｃ００１”の記録時及び再生時における各信号を示し、図１７は図１５におけるクリップＩＤ“Ｃ００２”の記録時及び再生時における各信号を示し、図１８は図１５におけるクリップＩＤ“Ｃ００３”の記録時及び再生時における各信号を示し、図１９は図１５におけるクリップＩＤ“Ｃ００４”の記録時及び再生時における各信号を示す。クリップＩＤ“Ｃ００１”の記録のみプルダウン記録であり、それ以外は全てネイティブ記録で信号は記録されている。
【００９０】
図９の場合、各信号はフレーム周期１／６０秒で処理されており、全てのフレームが処理されて記録メディア１０９に記録される。
【００９１】
図１７の場合、有効フレーム抽出部３０１及び圧縮部３０２から出力される信号までは図９の場合と同じであり、記録される映像ファイルも同様である。再生時においては、図１５の“Ｃ００２”に示されるよう、映像ファイルはフレームレート２４で再生される。記録時は、映像ファイルはフレームレート６０で記録されているので、映像圧縮部１０２及び記録再生部１０３は、１／２．５倍のスロー再生を行なうことになる。図１７（Ｄ）は、映像圧縮部１０２及び記録再生部１０３がフレームレート６０Ｈｚで駆動される場合を示しており、この場合、映像圧縮部１０２及び記録再生部１０３は、映像信号を２−３プルダウン形式に変換して出力する。これは、有効なフレームで換算すると２４Ｈｚで再生されていることと等価である。
【００９２】
図１８の場合、撮像部２０２及び信号処理部２０３はフレーム周期１／１２秒で駆動されており、信号処理部２０３はフレームを１２Ｈｚで出力する。フレームレート変換部２０４は、カメラレコーダの外部への映像信号の出力等を考慮して、常に６０Ｈｚでフレームを出力する。すなわち、図１８（Ｂ）に示すように、フレームレート変換部２０４は、６０Ｈｚの映像信号の上に１２Ｈｚの有効信号を多重して６０Ｈｚの映像信号を生成する。ここで、無効フレームはその直前の有効フレームである。有効フレーム抽出部３０１は、図１８（Ｃ）に示すように、２４Ｈｚの有効な信号のみを抜き出す。図１８の場合、記録再生部１０３は、圧縮された有効な信号のみを記録メディア１０９に記録する。このクリップは、記録を開始するにあたって、図１５の“Ｃ００３”に示されるように、再生時に２４Ｈｚで再生されるように指定されており、記録時の２倍の早送りで再生される。再生時は、２４Ｈｚでの再生が行なわれるが、各処理部は基本的に６０Ｈｚで駆動されているため、図１８（Ｄ）に示すように、２−３プルダウン形式に変換されて出力される。これは、有効なフレームで換算すると２４Ｈｚで再生されていることと等価である。
【００９３】
図１９の場合、フレームレート変換部２０４の出力、すなわち図１９（Ｂ）までは図１７と同じである。このクリップは、記録を開始するにあたって、図１５の“Ｃ００４”に示されるように、再生時に６０Ｈｚの２−３プルダウンで再生されるように指定されており、記録時の２倍の早送りで再生される。そのため、図１９（Ｃ）に示すように、有効フレーム抽出部３０１は１２Ｈｚの有効なフレームと無効なフレームとを２−３プルダウンのシーケンスとなるように抜き出し、圧縮部３０２は抜き出されたフレームを圧縮し、記録再生部１０３は、圧縮されたフレームを記録メディア１０９に記録する。再生時には６０Ｈｚで再生され、図１９（Ｄ）に示すように、記録時に抜き出された２−３プルダウン形式で出力される。これは、有効なフレームで換算すると２４Ｈｚで再生されていることと等価である。
【００９４】
なお、実施の形態３では、プログレッシブ映像信号を記録する場合について説明したが、インタレース映像信号を記録する場合においてもネイティブ記録モードとプルダウン記録モードとの切替による記録が可能なことは明らかである。また、実施の形態３では、ネイティブモードとプルダウンモードの切替はユーザの操作によって行なわれる。しかしながら、その切替は画像フォーマットに応じて行なわれてもよい。例えば、プログレッシブ映像信号の場合はネイティブ記録が行なわれ、インタレース映像信号の場合はプルダウン記録が行なわれてもよい。その場合、プログレッシブ信号の記録ファイルサイズが最小となり、インタレースの場合、２４Ｐでの出力が不可能なＩＥＥＥ１３９４Ｉ／Ｆがプルダウン状態の信号を容易に出力することが可能となる。
【００９５】
以上説明したように、実施の形態３では、記録フレームレートと再生フレームレートとが異なる可変速記録を行なう際、ネイティブ記録とプルダウン記録との何れかを選択することにより、様々な用途に柔軟に対応することが可能となる。
【００９６】
すなわち、ネイティブ記録では記録時間を最大限確保することが可能であり、プルダウン記録では、ＶＴＲテープ等の同期メディアでの記録と互換性を保つことができ、更にＩＥＥＥ１３９４等の２４Ｈｚに対応していない同期Ｉ／Ｆで圧縮ストリームを直接出力することが可能となる。
【００９７】
すなわち実施の形態３では、カメラレコーダは、映像信号を記録メディア１０９に記録する際のフレームレートである記録フレームレートと異なる再生フレームレートで記録メディア１０９に記録された映像信号を再生する装置である。映像圧縮部１０２は、再生時にフレームレートを変換することなく再生フレームレートで映像信号が再生されるように、記録フレームレートと再生フレームレートとの相違の程度に基づいて、記録フレームレートの映像信号を再生フレームレートの映像信号に変換する。記録再生部１０３は、映像圧縮部１０２によって得られた再生フレームレートの映像信号を記録メディア１０９に記録する。
【００９８】
記録フレームレートが再生フレームレートより小さい場合、映像圧縮部１０２は、記録フレームレートに対する再生フレームレートの比に基づいて、記録フレームレートの映像信号の生成元のフレームである有効フレームを複数連続させて、記録フレームレートの映像信号を再生フレームレートの映像信号に変換する。
【００９９】
映像フォーマット設定部１０４は、記録フレームレートの映像信号を記録メディア１０９に記録するネイティブ記録モードと、再生フレームレートの映像信号を記録メディア１０９に記録するプルダウン記録モードとの何れかを受け付ける。記録再生部１０３は、（Ａ）映像フォーマット設定部１０４がネイティブ記録モードを受け付けた場合、記録フレームレートの映像信号を記録メディア１０９に記録し、（Ｂ）映像フォーマット設定部１０４がプルダウン記録モードを受け付けた場合、再生フレームレートの映像信号を記録メディア１０９に記録する。
【０１００】
ネイティブ記録モードは記録フレームレートの映像信号がプログレッシブ信号である場合に対応するモードであり、プルダウン記録モードは記録フレームレートの映像信号がインタレース信号である場合に対応するモードである。
【０１０１】
記録再生部１０３は、図１５に示すように、１回の記録動作により記録メディア１０９に記録される映像信号を含むクリップそれぞれについて、そのクリップをネイティブ記録モードとプルダウン記録モードとの何れで記録したのかを示す記録モード情報を記録メディア１０９に記録する。
【０１０２】
記録再生部１０３及び映像圧縮部１０２は、（Ｃ）記録メディア１０９に記録されている記録モード情報が、あるクリップがネイティブ記録モードで記録されたことを示している場合、そのクリップを再生するとき、記録メディア１０９に記録されている有効フレームを複数連続させて再生し、（Ｄ）記録メディア１０９に記録されている記録モード情報が、あるクリップが前記ネイティブ記録モードで記録されたことを示している場合、そのクリップを再生するとき、記録メディア１０９に記録されている有効フレームを複数連続させることなくそのまま再生する。
【産業上の利用可能性】
【０１０３】
本発明の映像記録装置は、映像信号を記録媒体に記録するカメラレコーダ等として有用であり、本発明の映像記録再生装置は、映像信号を記録媒体に記録するとともに、記録された映像信号を再生するカメラレコーダ等として有用である。
【図面の簡単な説明】
【０１０４】
【図１】実施の形態のカメラレコーダの構成を示すブロック図である。
【図２】実施の形態のカメラレコーダのカメラ部の構成を示すブロック図である。
【図３】実施の形態のカメラレコーダの映像圧縮部の構成を示すブロック図である。
【図４】実施の形態のカメラレコーダの記録再生部の構成を示すブロック図である。
【図５】ＭＸＦファイルの構造を示す図である。
【図６】記録されたファイルの関係を示す図である。
【図７】Ｉｎｄｅｘファイルの記述内容の一例を示す図である。
【図８】Ｉｎｄｅｘファイルの各要素を示す図である。
【図９】７２０／６０Ｐの記録再生時における各信号を示す図である。
【図１０】７２０／２４Ｐのネイティブ記録再生時における各信号を示す図である。
【図１１】１０８０／６０ｉの記録再生時における各信号を示す図である。
【図１２】１０８０／２４Ｐのプルダウン記録再生時における各信号を示す図である。
【図１３】１０８０／２４Ｐのネイティブ記録再生時における各信号を示す図である。
【図１４】７２０／２４Ｐのプルダウン記録再生時における各信号を示す図である。
【図１５】Ｉｎｄｅｘファイルの記述内容の一例を示す図である。
【図１６】Ｉｎｄｅｘファイルの各要素を示す図である。
【図１７】７２０／６０Ｐ記録２４Ｐ再生のネイティブ記録の各信号を示す図である。
【図１８】７２０／１２Ｐ記録２４Ｐ再生のネイティブ記録の各信号を示す図である。
【図１９】７２０／１２Ｐ記録２４Ｐ再生のプルダウン記録の各信号を示す図である。
【符号の説明】
【０１０５】
１０１  カメラ部
１０２  映像圧縮部
１０３  記録再生部
１０４  映像フォーマット設定部
１０５  映像出力端子
１０６  音処理部
１０７  音入力端子
１０８  音出力端子
１０９  記録メディア
【図１】
2007158431.tif 000003
【図２】
2007158431.tif 000004
【図３】
2007158431.tif 000005
【図４】
2007158431.tif 000006
【図５】
2007158431.tif 000007
【図６】
2007158431.tif 000008
【図７】
2007158431.tif 000009
【図８】
2007158431.tif 000010
【図９】
2007158431.tif 000011
【図１０】
2007158431.tif 000012
【図１１】
2007158431.tif 000013
【図１２】
2007158431.tif 000014
【図１３】
2007158431.tif 000015
【図１４】
2007158431.tif 000016
【図１５】
2007158431.tif 000017
【図１６】
2007158431.tif 000018
【図１７】
2007158431.tif 000019
【図１８】
2007158431.tif 000020
【図１９】
2007158431.tif 000021